(57)【要約】      （修正有）【課題】給電用ハーネス線が長くても無負荷に対して的確に応答して保護動作を行なう。【解決手段】少なくとも一方は放電容器の外面に配設された一対の電極を備えた誘電体バリア放電灯と、２次側に接続された前記誘電体バリア放電灯に点灯電圧を供給するトランスと、このトランスの２次側と前記誘電体バリア放電灯とを接続する給電用ハーネス線と、前記トランスの１次側に電圧を供給するための電圧制御回路と、この電圧制御回路の出力を前記トランスの１次側に正相又は逆相で矩形波電圧を供給するプッシュプル回路と、発振周波数が可変可能な信号を発生させる発振回路と、前記トランスの２次側に流れる点灯電流に基づき前記誘電体バリア放電灯の始動時か点灯時かを検出する点灯検出回路と、この点灯検出回路により検出された前記発振回路の発振周波数を切り替える始動制御回路とを具備し、前記点灯検出回路は、高周波を遮断する低域通過フィルタを有する。【選択図】図１
2006302563.tif 000002
【特許請求の範囲】
【請求項１】
内部に希ガスを主体とする放電媒体を封入した放電容器、および少なくとも一方は放電容器の内面又は外面に配設された一対の電極を備えた誘電体バリア放電灯と、
２次側に接続された前記誘電体バリア放電灯に点灯電圧を供給するトランスと、
このトランスの２次側と前記誘電体バリア放電灯とを接続する給電用ハーネス線と、
前記トランスの１次側に電圧を供給するための電圧制御回路と、
この電圧制御回路の出力を前記トランスの１次側に正相又は逆相で矩形波電圧を供給するプッシュプル回路と、
発振周波数が可変可能な信号を発生させる発振回路と、
前記トランスの２次側に流れる点灯電流に基づき前記誘電体バリア放電灯の始動時か点灯時かを検出する点灯検出回路と、
この点灯検出回路により検出された前記発振回路の発振周波数を切り替える始動制御回路とを具備し、
前記点灯検出回路は、高周波を遮断する低域通過フィルタを有することを特徴とする放電灯点灯装置。
【請求項２】
内部に希ガスを主体とする放電媒体を封入した放電容器、および少なくとも一方は放電容器の内面又は外面に配設された一対の電極を備えた誘電体バリア放電灯と、
２次側に接続された前記誘電体バリア放電灯に点灯電圧を供給するトランスと、
このトランスの２次側と前記誘電体バリア放電灯とを接続する給電用ハーネス線と、
前記トランスの１次側に電圧を供給するための電圧制御回路と、
この電圧制御回路の出力を前記トランスの１次側に正相又は逆相で矩形波電圧を供給するプッシュプル回路と、
発振周波数が可変可能な信号を発生させる発振回路と、
前記トランスの２次側に流れる点灯電流に基づき前記誘電体バリア放電灯の始動時か点灯時かを検出するとともに高周波を遮断する低域通過フィルタを有する点灯検出回路と、
この点灯検出回路により検出された前記発振回路の発振周波数を切り替える始動制御回路とを具備し、
前記給電用ハーネス線の分布静電容量Ｃｈが、前記誘電体バリア放電灯の容量沿面部容量Ｃｅより大きいとき、前記低域通過フィルタによって前記給電用ハーネス線の分布静電容量に流れる電流による点灯の検出を抑止することを特徴とする放電灯点灯装置。
【請求項３】
内部に希ガスを主体とする放電媒体を封入した放電容器、および少なくとも一方は放電容器の内面又は外面に配設された一対の電極を備えた誘電体バリア放電灯と、
２次側に接続された前記誘電体バリア放電灯に点灯電圧を供給するトランスと、
このトランスの２次側と前記誘電体バリア放電灯とを接続する給電用ハーネス線と、
前記トランスの１次側に電圧を供給するための電圧制御回路と、
この電圧制御回路の出力を前記トランスの１次側に正相又は逆相で矩形波電圧を供給するプッシュプル回路と、
発振周波数が可変可能な信号を発生させる発振回路と、
前記トランスの２次側に流れる点灯電流に基づき前記誘電体バリア放電灯の始動時か点灯時かを検出するとともに高周波を遮断する低域通過フィルタを有する点灯検出回路と、
この点灯検出回路により検出された前記発振回路の発振周波数を切り替える始動制御回路とを具備し、
前記給電用ハーネス線の分布静電容量をＣｈとし、前記誘電体バリア放電灯の沿面部容量をＣｅとし、前記誘電体バリア放電灯の電極部容量をＣｓとしたとき、下記の式が成り立つとき、前記低域通過フィルタによって前記給電用ハーネス線の分布静電容量に流れる電流によって生ずる点灯検出を抑止することを特徴とする放電灯点灯装置。
Ｃｓ＞Ｃｈ＞Ｃｅ
【発明の詳細な説明】
【技術分野】
【０００１】
本発明は、希ガスを主体とする放電媒体を封入した放電灯を点灯する放電灯点灯装置に関する。
【背景技術】
【０００２】
希ガス放電灯は、誘電体バリヤ放電を利用する放電灯の無負荷状態を検出して保護動作が行われている（例えば特許文献１）。
【特許文献１】特開２００２−２３１４７８号公報
【発明の開示】
【発明が解決しようとする課題】
【０００３】
上記した特許文献１は、電源に接続された給電用ハーネス線を介して放電灯が接続されるが、画像形成装置などにおいて原稿を読み取り走査するために放電灯を移動させることが必要となり、給電用ハーネス線の長さを例えば２００ｍｍ以上にする必要がある。給電用ハーネス線が長くなると、その並行隣接線路の部分の分布静電容量が高周波の動作周波数に対して無視できなくなり、誤って放電を検知してしまうことがある。
【０００４】
このように誤って検知することを防止することが可能であるが、パルス駆動で行っている。パルス駆動により誤検知する場合、パルスのレベルが低かったり、幅が広かったりして効率的ではなかった。
【０００５】
本発明は、従来の放電灯点灯装置のこのような問題点にかんがみてなされたもので、給電用ハーネス線が長くても無負荷に対して的確に応答して保護動作を行なう、しかも効率のよい放電灯点灯装置を提供することを目的とする。 
【課題を解決するための手段】
【０００６】
本願の発明の請求項１による放電灯点灯装置は、内部に希ガスを主体とする放電媒体を封入した放電容器、および少なくとも一方は放電容器の内面又は外面に配設された一対の電極を備えた誘電体バリア放電灯と、２次側に接続された前記誘電体バリア放電灯に点灯電圧を供給するトランスと、このトランスの２次側と前記誘電体バリア放電灯とを接続する給電用ハーネス線と、前記トランスの１次側に電圧を供給するための電圧制御回路と、この電圧制御回路の出力を前記トランスの１次側に正相又は逆相で矩形波電圧を供給するプッシュプル回路と、発振周波数が可変可能な信号を発生させる発振回路と、前記トランスの２次側に流れる点灯電流に基づき前記誘電体バリア放電灯の始動時か点灯時かを検出する点灯検出回路と、この点灯検出回路により検出された前記発振回路の発振周波数を切り替える始動制御回路とを具備し、前記点灯検出回路は、高周波を遮断する低域通過フィルタを有することを特徴とする。
【発明の効果】
【０００７】
本発明によれば、給電用ハーネス線が長くても無負荷に対して的確に応答して保護動作を行なう、しかも効率のよい放電灯点灯装置が得られる効果がある。
【発明を実施するための最良の形態】
【０００８】
以下、本発明の実施の形態を図面を参照して説明する。図１は、この発明の一実施形態に係る放電灯点灯装置を示す回路図である。図２は誘電体バリア放電灯（以下放電灯ともいう）である外面電極放電灯の一部を切欠して示す断面図、図３はその縦断面図である。図４は透光性樹脂シート１５の展開図、図５は放電灯６の等価回路図である。図６は点灯装置の始動時の動作を示すタイミングチャート、図７は点灯装置の点灯時の動作を示すタイミングチャートである。
【０００９】
この実施形態においては、図１の放電灯６として誘電体バリア放電灯である外面電極放電灯を採用して説明するが、ここで用いる放電灯６としては、内外面電極放電灯や内内面電極放電灯を採用してもよい。
【００１０】
先ず、図２〜図５を参照して外面電極放電灯の構造について説明する。放電灯６は、透光性バルブであるガラスバルブ１１ａ内に放電を生起させるための１対の電極を有している。誘電体バリア放電灯では、一対の電極の少なくとも一方をガラスバルブ１１ａの外面または内面に設ける。ここでは、これらの電極を外面に設けて外部電極１３，１３としている。ガラスバルブ１１ａの内面には発光層を設け、ガラスバルブ１１ａの内部に希ガスを封入する。
【００１１】
即ち、図３の断面図に示すように、放電灯６は、放電容器１１、蛍光体層１２、１対の外部電極１３，１３、アパーチャ１４、透光性樹脂シート１５および透光性絶縁チューブ１６を有している。
【００１２】
放電容器１１は、細長く、両端が気密に封止された直径１０ｍｍ、実効長さ３７０ｍｍのガラスバルブ１１ａからなり、一端に排気チップオフ部１１ｂを有する。放電容器１１の内部には、放電媒体としてキセノンを封入している。蛍光体層１２は、放電容器１１の内面に長手方向に沿ったスリット状の部分以外の部分に形成する。
【００１３】
１対の外部電極１３，１３は夫々アルミ箔からなり、図３に示すように、平行に離間対向させて放電容器１１の外面に貼着する。外部電極１３は、予め後述する透光性樹脂シート１５の一面に粘着し、透光性樹脂シート１５を放電容器１１の外周に巻き付けることによって、放電容器１１の外面の所定位置に配設するようになっている。
【００１４】
また、外部電極１３は、図４に示すように、波形状の電極主部１３ａ、端子接続部１３ｂおよび端子１３ｃを有する。電極主部１３ａは、波形状をなして放電容器１１の長手方向の大部分にわたり延在するように構成している。端子接続部１３ｂは、電極主部１３ａの一端に接続して配設し、端子１３ｃとの接触面積が大きくなるように方形状に形成している。端子１３ｃは、端子接続部１３ｂに導電性接着剤により接着する。端子１３ｃは、透光性樹脂シート１５および透光性熱収縮チューブである透光性絶縁チューブ１６から外部に突出している。
【００１５】
アパーチャ１４は、放電容器１１の長手方向に沿って、蛍光体層１２が形成されていないスリット状部分である。従って、放電容器１１のアパーチャ１４の部分は、ガラスバルブ１１ａを介して放電容器１１の内部が素通しになって見える。
【００１６】
透光性樹脂シート１５は、例えば透明なＰＥＴ（Polyethylene Terephthalate）からなり、放電容器１１の実質的全長にわたる長さで、かつ放電容器１１の周囲方向に対してアパーチャ１４の上から被覆するような幅を有している。上述したように、一面に１対の外部電極１３，１３を所定間隔で貼着している。更に、その上にアクリル系粘着材を塗布して、放電容器１１の外面に貼着している。これにより１対の外部電極１３，１３は、アパーチャ１４を挟んでその両側の位置に配設され、アパーチャ１４の上に透光性樹脂シート１５が貼着される。
【００１７】
透光性絶縁チューブ１６は、透明フッ素系樹脂からなり、外部電極１３，１３およびアパーチャ１４の上から放電容器１１の全周を被覆している。
【００１８】
放電灯６の等価回路は、図５に示すように、コンデンサＣｉｎ１と負荷抵抗ＲＬおよびコンデンサＣｉｎ２の直列回路と、コンデンサＣｏｕｔ１とコンデンサＣｏｕｔ２の並列回路によって構成している。コンデンサＣｉｎ１，Ｃｉｎ２は、外部電極１３と放電容器１１の内面との間に形成される静電容量である。従って、コンデンサＣｉｎ１，Ｃｉｎ２の静電容量は、外部電極１３の面積、放電容器１１の構成材料であるガラスの比誘電率および厚さにより決定する。このように、放電灯６は、少なくとも容量性を有する。
【００１９】
ところで上述のように、点灯装置と放電灯の間に、並行隣接線路が例えば２００ｍｍ以上の長い給電用ハーネス線があると、図８に示すような接続関係になる。ここで点灯装置は図１の回路において、放電灯６及び直流電源ＤＰを除いた部分を意味する。
【００２０】
即ち、固定されている電源８１に点灯装置８２が接続され、この点灯装置８２の接続端子８２ａ，８２ｂに給電用ハーネス線８３の一端が接続され、他端には放電灯８４が接続される。このときの給電用ハーネス線８３と放電灯等価回路は、図９に示すように描ける。
【００２１】
放電灯８４は、図示するように、ランプ電極部容量Ｃｓとこれに直列接続されたランプ抵抗Ｒａと、この直列接続体に並列接続されたランプ沿面部容量Ｃｅから成る。放電灯８４に給電用ハーネス線によって生ずる静電容量Ｃ１〜Ｃｎが並列に接続された構成となる。この静電容量Ｃ１〜Ｃｎから成るハーネス容量Ｃｈは、放電灯８４の電極部容量Ｃｓや放電灯８４の沿面部容量Ｃｅに比べて、通常はかなり小さく、沿面部容量Ｃｅにより放電を生じている。
【００２２】
ところが、放電灯８４の接続が外れるなどの原因によって無負荷状態になった場合、給電用ハーネス線８３のみが接続されていると、高周波発生手段（点灯装置）から見た負荷が、給電用ハーネス線の分布静電容量即ちＣｈになる。上記のように給電用ハーネス線８３が長くなると、高周波においてハーネス容量Ｃｈがかなり大きくなり、Ｃｈ＞Ｃｅの関係になってしまうことがある。すると、放電灯８４が放電を開始する前に、特に高周波において、上記ハーネス容量Ｃｈにより電流が流れて、点灯が誤って検知されてしまう。
【００２３】
そこで本発明のこの実施形態では、抵抗Ｒ８と並列に、コンデンサＣ７と抵抗Ｐ１２から成る低域通過フィルタＬＰＦを設けて、高周波において給電用ハーネス線の部分において伝習が流れることを抑止するようにした。なお、ランプ電極部容量Ｃｓはハーネス容量Ｃｈより通常、当然大きい。
【００２４】
したがって、ランプ電極容量Ｃｓとハーネス容量Ｃｈとランプ沿面部容量Ｃｅとの関係が、Ｃｓ＞Ｃｈ＞Ｃｅとなるときに上記低域通過フィルタＬＰＦを作動させるように時定数を定めればよい。
【００２５】
次に、図１を参照して、この発明の一実施形態の点灯装置について説明する。点灯装置は、昇圧／降圧回路２８、抵抗Ｒ１，Ｒ２、コンデンサＣ２から構成される電圧制御回路２１と、この電圧制御回路２１に接続された直流電源ＤＰと、点灯スイッチＳＷと、１次側コイルＬ１，Ｌ２と２次側コイルＬ３からなる昇圧トランス２３と、プッシュプル回路２２と、このプッシュプル回路２２に接続された抵抗Ｒ４〜Ｒ７、コンデンサＣ４、トランジスタＱ１から構成される発振回路２４と、抵抗Ｒ８〜Ｒ１２、ダイオードＤ、コンデンサＣ５〜Ｃ７、トランジスタＱ２〜Ｑ４から構成される始動回路２５および電界効果トランジスタＦＥＴ１，２とによって構成されている。上述のように、始動回路２５内のコンデンサＣ７と抵抗Ｒ１２は低域通過フィルタを構成している。
【００２６】
電圧制御回路２１は、昇圧／降圧回路２８と抵抗Ｒ１と抵抗Ｒ２とコンデンサＣ２によって構成する。昇圧／降圧回路２８に直流電源ＤＰおよび点灯スイッチＳＷを接続している。直流電源ＤＰは例えば電圧２４Ｖであるが、この電圧は±数％程度変動することもあるので、電圧制御回路２１により電圧の安定化を図っている。即ち、直流電源ＤＰの出力は昇圧／降圧回路２８に供給される。昇圧／降圧回路２８は入力電圧を昇圧または降圧する。昇圧／降圧回路２８の出力電圧は、コンデンサＣ２によって平滑され、抵抗Ｒ１と抵抗Ｒ２とで分圧され、抵抗Ｒ１，Ｒ２の接続点の電圧を昇圧／降圧回路２８に制御電圧として供給する。
【００２７】
プッシュプル回路２２は、電界効果トランジスタＦＥＴ１，２に接続され、プッシュプル回路２２から出力される駆動信号により電界効果トランジスタＦＥＴ１，ＦＥＴ２を交互にスイッチングさせて、昇圧トランス２３の２次側に高圧を発生させる。
【００２８】
発振回路２４は、コンデンサＣ４、抵抗Ｒ４，５にて決定する発振周期を制御端子３１に外部からの調光同期信号ＳをトランジスタＱ１に供給してオン／オフ制御させ、トランジスタＱ１がオンしたときに発振をリセットかけることにより、この調光同期信号Ｓに同期した周波数にて発振させることができる。
【００２９】
始動回路２５は、放電灯６に流れる電流を抵抗Ｒ８にて検出し、ダイオードＤにて整流し、コンデンサＣ５にて平滑した電圧にてトランジスタＱ２をオン／オフさせて始動時と始動時以外との周波数切り替えを行っている。始動時は、誘電体バリア放電灯に電流が流れない為、トランジスタＱ２はオフ状態となりトランジスタＱ３，４がオンし、トランジスタＱ１がオフする。したがって、調光同期信号Ｓが発振回路２４に入力されない状態となり、また、トランジスタＱ３がオン状態となる為、プッシュプル回路２２の発振周波数は、コンデンサＣ４、抵抗Ｒ５にて決定される。始動時以外（誘電体バリア放電灯点灯時）は、誘電体バリア放電灯に電流が流れ、抵抗Ｒ８にて電流を検出し、トランジスタＱ２がオン状態となり、トランジスタＱ３，Ｑ４がオフ状態となり、外部からの調光同期信号Ｓに同期した周波数にて、プッシュプル回路２２は発振することになる。
【００３０】
次に、図６および図７を用いて図１の点灯装置の動作について説明する。図６は始動時の、図７は点灯時のそれぞれのタイミングチャートである。
【００３１】
先ず、始動時について図６とともに説明する。スイッチＳＷをオンすると、昇圧／降圧回路２８とプッシュプル回路２２にそれぞれ直流電源ＤＰから電源が供給されて昇圧／降圧回路２８とプッシュプル回路２２がオン状態となる。昇圧／降圧回路２８では、出力ＯＵＴ１から出力電圧を出力し、コンデンサＣ２に徐々に電荷が蓄積されて電圧が上昇する。これに伴い、抵抗Ｒ１，Ｒ２の分圧電圧が昇圧／降圧回路２８にフィードバックされ昇圧／降圧回路２８の出力ＯＵＴ１を定電圧に保持する。
【００３２】
このとき、放電灯６は非点灯状態にあり、抵抗Ｒ８には電流が流れないことからトランジスタＱ２はオフ、トランジスタＱ３，Ｑ４はオン、トランジスタＱ１はオフ状態である。従って、制御端子３１から発振回路２４には図６（ａ）に示すように信号が供給されない状態にある。トランジスタＱ３はオン状態にあるため、プッシュプル回路２２の発振周波数は、コンデンサＣ４、抵抗Ｒ５により決定され、図６（ｂ）に示す信号となる。
【００３３】
昇圧／降圧回路２８と同時にオンされたプッシュプル回路２２は、その出力ＯＵＴ２，ＯＵＴ３から逆相の図６（ｃ），（ｄ）に示す信号を出力し、電界効果トランジスタＦＥＴ１，ＦＥＴ２をオン／オフ制御する。電界効果トランジスタＦＥＴ１がオンすると、出力ＯＵＴ１から昇圧トランス２３のコイルＬ１と電界効果トランジスタＦＥＴ１を介して電流が流れ、昇圧トランス２３の２次側のコイルＬ３にはコイルＬ１の巻線比に応じた図６（ｅ）に示す正の高出力電圧＋Ｖｈが得られる。
【００３４】
また、電界効果トランジスタＦＥＴ２がオンすると、出力ＯＵＴ１から昇圧トランス２３のコイルＬ２と電界効果トランジスタＦＥＴ２を介して電流が流れる。この場合、コイルの巻き方向がＬ１，Ｌ２と同じで電流の流れが逆向きであるため、昇圧トランス２３の２次側のコイルＬ３にはコイルＬ２との巻線比に応じた図６（ｅ）に示す負の高出力電圧−Ｖｈが得られる。以降、電界効果トランジスタＦＥＴ１，ＦＥＴ２をオン／オフに応じて図６（ｅ）に示す正負の高出力電圧の出力を放電灯６に供給して放電灯６を点灯させることができる。
【００３５】
放電灯６が点灯されると、放電灯６に流れる電流を抵抗Ｒ８にて検出し、ダイオードＤにて整流し、コンデンサＣ５にて平滑した電圧でトランジスタＱ２をオン、トランジスタＱ３，Ｑ４をオフ、トランジスタＱ１をオンする。トランジスタＱ３はオフ状態にあるため、プッシュプル回路２２の発振周波数は、コンデンサＣ４、抵抗Ｒ５、Ｒ４により決定され、図７（ｇ）に示す信号となる。発振回路２４の制御端子３１には、図７（ｆ）に示す調光同期信号Ｓが供給され、この信号に同期した周波数にてプッシュプル回路２２は、図７（ｈ），（ｉ）に示す信号を出力する。
【００３６】
電界効果トランジスタＦＥＴ１，ＦＥＴ２は、それぞれ図７（ｈ），（ｉ）によりオン／オフ制御される。電界効果トランジスタＦＥＴ１がオンすると、出力ＯＵＴ１から昇圧トランス２３のコイルＬ１と電界効果トランジスタＦＥＴ１を介して電流が流れ、昇圧トランス２３の２次側のコイルＬ３にはコイルＬ１の巻線比に応じた図７（ｊ）に示す正の低出力電圧＋Ｖｌが得られる。また、電界効果トランジスタＦＥＴ２がオンすると、出力ＯＵＴ１から昇圧トランス２３のコイルＬ２と電界効果トランジスタＦＥＴ２を介して電流が流れる。この場合、コイルの巻き方向がＬ１，Ｌ２と同じで電流の流れが逆向きであるため、昇圧トランス２３の２次側のコイルＬ３にはコイルＬ２との巻線比に応じた図７（ｊ）に示す負の低出力電圧−Ｖｌが得られる。以降、電界効果トランジスタＦＥＴ１，ＦＥＴ２のオン／オフに応じて図７（ｊ）に示す正負の高出力電圧の出力を放電灯６に供給し、放電灯６を確実に点灯させることができる。このように、プッシュプル回路２２は、点灯前の状態では、コンデンサＣ４と抵抗Ｒ５の時定数で駆動され、点灯後はコンデンサＣ４と抵抗Ｒ５及び抵抗Ｒ４によって駆動されるので、このプッシュプル回路の出力波形は点灯前は比較的高い電圧の矩形波となるが、点灯後は比較的低い電圧の矩形波となる。
【００３７】
このように、簡単な始動回路２５を付加し、始動時にプッシュプル回路２２の周波数を上げたことにより、始動時において十分に大きいレベルの電圧が供給される。これにより、誘電体バリア放電灯である放電灯６を確実に点灯されることが可能となる。
【００３８】
この実施形態では、始動時に高電圧回路など特別の回路を必要とせずに、外面電極放電灯等の誘電体バリア放電灯に高い始動電圧を供給するとともに、始動後は所定の定電圧を加えて安定した点灯を継続させることができる。
【００３９】
更に、上述の実施形態によれば、抵抗Ｒ１２とコンデンサＣ７から成る低域通過フィルタを設けているので、給電用ハーネス線が長くなりハーネス容量Ｃｈが、放電灯のランプ沿面部容量Ｃｅよりも大きくなった場合においても、放電を誤って検知することはなくなる利点がある。
【図面の簡単な説明】
【００４０】
【図１】この発明の一実施形態に係る点灯装置について説明するための回路図。
【図２】誘電体バリア放電灯である外面電極放電灯を一部切欠して示す断面図。
【図３】誘電体バリア放電灯の縦断面図。
【図４】図２中の透光性樹脂シート１５の展開図。
【図５】図２〜図４に示す放電灯の等価回路図。
【図６】この発明の始動時の動作について説明するためのタイミングチャート。
【図７】この発明の点灯時の動作について説明するためのタイミングチャート。
【図８】本発明の一実施形態において給電用ハーネス線が長い場合の状況を説明するための図。
【図９】図８における給電用ハーネス線と放電灯の等価回路図。
【符号の説明】
【００４１】
６，８４・・・放電灯、
１１・・・放電容器、
１２・・・蛍光体層、
１３・・・外部電極、
１３ａ・・・電極主部、
１３ｂ・・・端子接続部、
１４・・・アパーチャ、
２１・・・電圧制御回路、
２２・・・プッシュプル回路、
２３・・・昇圧トランス、
２４・・・発振回路、
２５・・・始動回路、
２８・・・昇圧／降圧回路、
８１・・・電源、
８２・・・点灯装置、
８３・・・給電用ハーネス線、
Ｒ１〜Ｒ１２・・・抵抗、
Ｃ２〜Ｃ７・・・コンデンサ、
Ｄ・・・ダイオード、
Ｑ１〜Ｑ４・・・トランジスタ、
ＦＥＴ１，ＦＥＴ２・・・電界効果トランジスタ、
ＤＰ・・・直流電源、
ＳＷ・・・点灯スイッチ、
Ｌ１，Ｌ２・・・１次側コイル、
Ｌ３・・・２次側コイル、
Ｃｓ・・・ランプ電極部容量
Ｒａ・・・ランプ抵抗、
Ｃｅ・・・ランプ沿面部容量。
【図１】
2006302563.tif 000003
【図２】
2006302563.tif 000004
【図３】
2006302563.tif 000005
【図４】
2006302563.tif 000006
【図５】
2006302563.tif 000007
【図６】
2006302563.tif 000008
【図７】
2006302563.tif 000009
【図８】
2006302563.tif 000010
【図９】
2006302563.tif 000011